(57)【要約】【課題】バッグの寸法や対象物の状況に適合するようにアームの長さを調整することができ、取り付け操作が容易であるバッグ支持具を提供する。【解決手段】長さ方向に相対移動可能に連結され、相対移動した位置に維持可能である２本のアーム（外筒１と内筒２）と、２本のアーム１，２の連結されている側とは反対側の各端部に設けられ、対象物に取り付けられる取付部１０，２０とを備え、アーム１，２にバッグ３１が支持される。対象物は、手押し車（ベビーカー）のフレーム３０である。【選択図】図１０
0003147607.tif 000002
【実用新案登録請求の範囲】
【請求項１】
バッグを対象物に支持させるために、該対象物に取り付けられるバッグ支持具において、
長さ方向に相対移動可能に連結され、相対移動した位置に維持可能である２本のアームと、該２本のアームの連結されている側とは反対側の各端部に設けられ、対象物に取り付けられる取付部とを備え、前記アームにバッグが支持される構成であることを特徴とするバッグ支持具。
【請求項２】
前記取付部は、前記アームの端部に固着され、前記アームの長さ方向と交差する向きの貫通孔を備えた基体部と、一端側に軸径より大径の抜け止め部を備え、他端側が該基体部の貫通孔に挿通されたネジ軸と、前記基体部の貫通孔を通過した該ネジ軸の他端側にネジ結合されるネジ孔を備えたネジ回転部と、一部箇所で揺動自在に連結され、揺動して対向したときに前記一部箇所から離間した位置で前記対象物を両側から把持可能な把持部及び該把持部と前記一部箇所との間に孔の方向が揺動方向に沿い孔の位置が一致する貫通孔を備えた一対の把持片とを有し、
該一対の把持片が前記基体部と抜け止め部との間に位置し、一対の把持片の両方の貫通孔に前記ネジ軸が挿通されていることを特徴とする請求項１に記載のバッグ支持具。
【請求項３】
前記２本のアームは、一方が外筒で、他方が該外筒内に筒軸心回りに回転自在で筒軸方向に移動自在に遊嵌される内筒で構成され、該内筒の一端部にテーパ部と該テーパ部の小径側端部に筒軸方向で隣接するネジ軸とが同軸に設けられ、該ネジ軸に螺合され、前記外筒の内周面に接触して外筒の回転に追従し、前記テーパ部側の端部に拡縮部を備えた筒状のストッパが設けられ、該ストッパの回転に伴い拡縮部に前記テーパ部が圧入されて拡縮部が拡径することにより前記外筒と内筒とが当接固定され、両筒が筒軸方向に相対移動して長さ調整された位置に維持される構成であることを特徴とする請求項１又は２に記載のバッグ支持具。
【請求項４】
前記対象物は、手押し車のフレームであることを特徴とする請求項１から３の何れか１項に記載のバッグ支持具。
【考案の詳細な説明】
【技術分野】
【０００１】
本考案は、例えばベビーカー、買物車のような手押し車等に取り付けて使用されるバッグ支持具に関する。
【背景技術】
【０００２】
自転車のハンドルに取り付けられ、雨具などの小物を入れたバッグを支持するバッグ支持具が公知である（特許文献１参照）。特許文献１に記載のバッグ支持具は、１本のアームと、該アームを自転車のハンドルと略平行にした状態でハンドルの中央部分に取り付ける一対の取付具とで構成される。各取付具は両端に半円筒形の当接部を備えた２個の把持片を有しており、２個の把持片の両端の当接部同士を対向させてアーム及びハンドルを挟み、２個の把持片の両方に設けた貫通孔に通したボルトにナットを嵌めて締め付けることによってアームが取付具を介してハンドルに取り付けられる構造である。バッグはバッグに付属した吊り輪をアームに通して吊り下げ支持される。
【特許文献１】実用新案登録第３０４８７２８号公報
【考案の開示】
【考案が解決しようとする課題】
【０００３】
特許文献１に記載のバッグ支持具では、アームの長さが一定であるため、バッグの寸法やバッグを支持させる対象物の状況に応じてアームの長さを調整することができず、不便である。また、対象物とアームとを別部材である一対の取付具によって同時に取り付ける必要があるため、取り付け操作が面倒である。
【０００４】
本願考案は、上述したような事情に鑑みてなされたものであり、バッグの寸法や対象物の状況に適合するようにアームの長さを調整することができ、取り付け操作が容易であるバッグ支持具を提供することを目的とする。
【０００５】
また、本願考案は、取り付け操作が一層容易であるとともに、対象物の取り付け部位の状況に一層適切に対応することができるバッグ支持具を提供することを他の目的とする。
【０００６】
また、本願考案は、アームの長さ調整を簡易に行うことができ、また、対象物の取り付け部位の状況に一層適切に対応することができるバッグ支持具を提供することを他の目的とする。
【０００７】
また、本願考案は、手押し車に簡易に取り付けることができるバッグ支持具を提供することを他の目的とする。
【課題を解決するための手段】
【０００８】
第１の考案に係るバッグ支持具は、バッグを対象物に支持させるために、該対象物に取り付けられるバッグ支持具において、長さ方向に相対移動可能に連結され、相対移動した位置に維持可能である２本のアームと、該２本のアームの連結されている側とは反対側の各端部に設けられ、対象物に取り付けられる取付部とを備え、前記アームにバッグが支持される構成であることを特徴とする。
第１の考案に係るバッグ支持具においては、長さ方向に相対移動可能に連結された２本のアームを長さ方向に相対移動させて長さ調整した位置に維持し、２本のアームの連結されていない側の各端部に設けられた取付部を対象物に取り付けた後、２本のアームにバッグを支持させる。
【０００９】
第２の考案に係るバッグ支持具は、前記取付部は、前記アームの端部に固着され、前記アームの長さ方向と交差する向きの貫通孔を備えた基体部と、一端側に軸径より大径の抜け止め部を備え、他端側が該基体部の貫通孔に挿通されたネジ軸と、前記基体部の貫通孔を通過した該ネジ軸の他端側にネジ結合されるネジ孔を備えたネジ回転部と、一部箇所で揺動自在に連結され、揺動して対向したときに前記一部箇所から離間した位置で前記対象物を両側から把持可能な把持部及び該把持部と前記一部箇所との間に孔の方向が揺動方向に沿い孔の位置が一致する貫通孔を備えた一対の把持片とを有し、該一対の把持片が前記基体部と抜け止め部との間に位置し、一対の把持片の両方の貫通孔に前記ネジ軸が挿通されていることを特徴とする。
【００１０】
第２の考案においては、一端側に軸径より大径の抜け止め部を備えたネジ軸の他端側が、揺動自在に連結された一対の把持片の一部箇所（連結箇所）から離間した位置の両方の貫通孔、及び、アームの長さ方向と交差する向きの基体部の貫通孔に挿通されて、一対の把持片が前記基体部とネジ軸の抜け止め部との間に位置し、該ネジ軸の他端側にネジ回転部のネジ孔がネジ結合されている。該ネジ回転部を回転させて、ネジ軸の抜け止め部を基体部に接近させることにより、対象物が一対の把持片の両把持部によって両側から把持され、逆に、ネジ軸の抜け止め部を基体部から離間させることにより、一対の把持片の両把持部によって把持されている対象物の把持が解除される。
【００１１】
第３の考案に係るバッグ支持具は、前記２本のアームは、一方が外筒で、他方が該外筒内に筒軸心回りに回転自在で筒軸方向に移動自在に遊嵌される内筒で構成され、該内筒の一端部にテーパ部と該テーパ部の小径側端部に筒軸方向で隣接するネジ軸とが同軸に設けられ、該ネジ軸に螺合され、前記外筒の内周面に接触して外筒の回転に追従し、前記テーパ部側の端部に拡縮部を備えた筒状のストッパが設けられ、該ストッパの回転に伴い拡縮部に前記テーパ部が圧入されて拡縮部が拡径することにより前記外筒と内筒とが当接固定され、両筒が筒軸方向に相対移動して長さ調整された位置に維持される構成であることを特徴とする。
【００１２】
第３の考案においては、外筒と外筒内に遊嵌された内筒とが筒軸心回りに相対回転すると、内筒の一端部に設けたテーパ部の小径側端部に筒軸方向で同軸に隣接するネジ軸に螺合した筒状のストッパが外筒の内周面に接触して外筒に追従して回転し、筒軸方向に移動するので、筒状のストッパのテーパ部側端部の拡縮部にテーパ部が圧入される向きとは反対側に筒状のストッパが移動するように外筒と内筒とを相対回転させ、外筒と内筒との当接固定を解除した状態で両筒を筒軸方向に相対移動させて、筒体全体の長さを調整する。次に、外筒と内筒とを上記向きとは逆向きに相対回転させると、筒状のストッパの拡縮部にテーパ部が圧入されて拡縮部が拡径し、拡径した拡縮部を間にして外筒と内筒とが当接固定され、両筒が筒軸方向に相対移動して長さ調整された位置に維持される。
【００１３】
第４の考案に係るバッグ支持具は、前記対象物は、手押し車のフレームであることを特徴とする。
第４の考案においては、長さ調整した位置に維持された２本のアームの連結されていない側の各端部に設けられた取付部を手押し車のフレームに取り付け、アームにバッグを支持させる。
【考案の効果】
【００１４】
第１の考案に係るバッグ支持具によれば、長さ方向に相対移動可能に連結された２本のアームの長さを調整し、２本のアームの各端部に設けた取付部を対象物に取り付けた後、バッグをアームに支持させるので、バッグの寸法やバッグを支持させる対象物の状況に適合するようにアームの長さを調整することができ、また取付部がアームと一体であるので、アームを片手で持ち、他方の手で取付部を対象物に取り付けることができ、取り付け操作が容易なバッグ支持具が提供される。
【００１５】
第２の考案に係るバッグ支持具によれば、対向した一対の把持片の両把持部の間に対象物を挟んだ状態でネジ回転部を回転させるだけで、対象物が一対の把持片に把持され、取付部に取り付けられるので、取り付け操作が一層容易であり、また、一対の把持片を基体部の貫通孔のネジ軸の軸心回りに適宜の角度に回転させた位置で対象物が取付部に取り付けられるので、対象物の取り付け部位の状況に一層適切に対応することができるバッグ支持具が提供される。
【００１６】
第３の考案に係るバッグ支持具によれば、外筒と内筒とを筒軸心回りに相対回転させて両筒の当接固定を解除した状態で両筒を筒軸方向に相対移動させて筒体の長さを調整した後、外筒と内筒とを逆向きに相対回転させて両筒を当接固定させることにより、両筒が長さ調整された位置に維持されるので、アームの長さ調整を簡易に行うことができ、また、外筒と内筒とを筒軸心回りに相対回転させて当接固定させるときの角度を適宜変更することにより取付部に取り付けられる対象物の取付角度が異なるので、対象物の取り付け部位の状況に一層適切に対応することができるバッグ支持具が提供される。
【００１７】
第４の考案に係るバッグ支持具によれば、手押し車のフレームを対象物とすることにより、手押し車に簡易に取り付けることができるバッグ支持具が提供される。
【考案を実施するための最良の形態】
【００１８】
以下、本考案に係るバッグ支持具の実施の形態について、図面に基づいて説明する。図１は本考案に係るバッグ支持具の正面図、図２は図１に示すバッグ支持具の平面図、図３は同バッグ支持具の右側面図、図４は同バッグ支持具の背面図、図５は同バッグ支持具の底面図、図６は同バッグ支持具の要部の正面図、図７は同バッグ支持具の要部の構造及び動作を示す正面一部断面図である。
【００１９】
本考案に係るバッグ支持具は、外筒１と、外径が外筒１の内径より少し小径に形成され、外径１内に筒軸心回りに回転自在で筒軸方向に移動自在に遊嵌された内筒２とを有している。外筒１と内筒２とを長さ方向に相対移動させることによって、連結された外筒１と内筒２との長さを調整することができる。外筒１及び内筒２は金属製のパイプ材にて構成される。
【００２０】
外径１内に挿通される内筒２の一端部にはテーパ部３と該テーパ部３の小径側端部に筒軸方向で隣接するネジ軸４とが同軸に設けられている。テーパ部３は内筒２の一端部から遠い側が小径となる円錐状をなして内筒２の端部に固着され、テーパ部３の先端にネジ軸４が固着されている。ネジ軸４は長手方向の中央部分にのみネジ部４ａを有している。テーパ部３は硬質のプラスチック材料等で構成され、ネジ軸４は金属製であるが、テーパ部３を金属製とし、ネジ軸４を硬質のプラスチック材料等で構成してもよい。尚、内筒２の外周には、外筒１の端部と内筒２の外周面との隙間を覆う円筒状のキャップ８が遊嵌されている。
【００２１】
ネジ部４ａには外筒１の内周面に摩擦係合する筒状のストッパ６が螺合され、ネジ軸４の先端にはストッパ６に対する抜け止め用のナット部５が設けてある。ストッパ６は硬質のプラスチック材料等で構成され、ストッパ６のテーパ部３側の端部に軸方向に沿う割溝６ａにより弾性的に拡縮自在な拡縮部６ｂが形成してある。拡縮部６ｂは外周面に摩擦部材７を備えている。割溝６ａはストッパ６の周方向の１８０度回転対称の位置に２個設けてあり、摩擦部材７は割溝６ａの部分を除くストッパ６の周方向の範囲に摩擦係数の大きいゴムシート材を張り付けて形成してある。
【００２２】
ストッパ６のテーパ部３（拡縮部６ｂ）側とは反対側の端部には、軸方向に沿う割溝６ｃを備えると共に外筒１の内周面よりも大径に形成されて、外筒の内周面に弾性的に摩擦係合する摺接部６ｄが設けてある。摺接部６ｄは外周面に突部６ｅを備えている。割溝６ｃはストッパ６の周方向の９０度回転対称の位置に４個設けてあり、突部６ｅは割溝６ｃの間のストッパ６の各領域の中央に周方向に長軸が沿った楕円形状に形成してある。
【００２３】
上記構成において、外筒１と内筒２とを相対回転させると、ストッパ６の摺接部６ｄが突部６ｅにて外筒１の内周面に摩擦係合して外筒１の回転に追従し、ストッパ６がネジ軸４に螺合してネジ軸４の軸方向に移動する。外筒１と内筒２との相対回転によりストッパ６が移動し、拡縮部６ｂにテーパ部３が圧入されて拡径することにより、外筒１と内筒２とが当接固定され、外筒１と内筒２との長さを調整した位置に維持される。外筒１と内筒２との相対回転によりストッパ６が逆向きに移動し、拡縮部６ｂがテーパ部３から離脱して拡縮部６ｂにテーパ部３が圧入されない状態で縮径することにより、外筒１と内筒２との当接固定が解除される。
【００２４】
次に、本考案に係るバッグ支持具を対象物に取り付けるための構成について説明する。本考案に係るバッグ支持具は、外筒１及び内筒２の連結されている側とは反対側の各端部に取付部１０，２０を備えている。
【００２５】
内筒２の端部に設けてある取付部１０と、外筒１の端部に設けてある取付部２０は同一構造である。図８は図１のＶＩＩＩ−ＶＩＩＩ線における断面図、図９は図１のＩＸ−ＩＸ線における断面図である。
【００２６】
取付部１０は、内筒２の筒軸方向と交差する向きの貫通孔１１ｄを備えて、外筒１に連結されていない側の端部に固着された基体部１１と、該基体部１１の貫通孔１１ｄに挿通され、一端側に軸径より大径のナット部１４ａを備えたネジ軸１４と、ネジ軸１４の他端側にネジ結合されるネジ孔１５ａを備えた調整ネジ１５と、対象物を把持する一対の把持片１２，１３とを有する。
【００２７】
基体部１１は内筒２の端部に同軸に外嵌圧入された円筒部１１ａと該円筒部１１ａの横側部に連なる板状部１１ｂとからなり、板状部１１ｂの中央に貫通孔１１ｄを備えるとともに貫通孔１１ｄの周りに菊座１１ｃを備えている。
【００２８】
一対の把持片１２，１３は扁平な略直方体形状で対称形をなし、長手方向の一端側で枢軸１７によって揺動（開閉）自在に連結されている。一対の把持片１２，１３は揺動して対向したときに長手方向の他端側の同位置となる箇所に把持凹部１２ａ，１３ａを有し、把持凹部１２ａ，１３ａと枢軸１７との間に両把持片１２，１３を貫通する貫通孔１２ｂ，１３ｂを有している。貫通孔１２ｂ，１３ｂは孔の方向が揺動方向に沿い、孔の位置が一致している。一方の把持片１２の貫通孔１２ｂは丸孔に形成され、その縁部外周側に菊座１２ｃが設けられ、他方の把持片１２の貫通孔１３ｂは長手方向に長い長孔に形成されている。
【００２９】
各把持凹部１２ａ，１３ａは、外周面の中央部と枢軸１７側への延長部の端部との２箇所に設けた円筒リブ１８によって各把持片１２，１３の内壁側の円筒部に内嵌支持されている。一方の把持凹部１２ａは対応する把持片１２の貫通孔１２ｂと同一形状の丸孔を有し、他方の把持凹部１３ａは対応する把持片１３の貫通孔１３ｂと略同一形状の長孔を有する。把持凹部１２ａ，１３ａは比較的柔軟な合成樹脂材料により構成してある。
【００３０】
一方の把持凹部１２ａと他方の把持片１３との間にコイルバネ１６を配置し、ネジ軸１４が、コイルバネ１６を軸方向に通り、把持片１２，１３の各貫通孔１２ｂ，１３ｂと板状部１１ｂの貫通孔１１ｄとを挿通している。ネジ軸１４の先端に螺着してある調整ネジ１５を回すことによって一対の把持片１２，１３の間隔が変化し、把持力が調整される。貫通孔１２ｂの縁部外周側の菊座１２ｃが板状部１１ｂの貫通孔１１ｄ周りの菊座１１ｃに係合することにより、把持位置に良好に維持できる。
【００３１】
取付部２０については、以上説明した取付部１０と同一構造であり、取付部１０と対応する同一構造の部分を図８及び図９にかっこ書きにて示している。
取付部２０は、外筒１の筒軸方向と交差する向きの貫通孔２１ｄを備えて、内筒２に連結されていない側の端部に固着された基体部２１と、該基体部２１の貫通孔２１ｄに挿通され、一端側に軸径より大径のナット部２４ａを備えたネジ軸２４と、ネジ軸２４の他端側にネジ結合されるネジ孔２５ａを備えた調整ネジ２５と、対象物を把持する一対の把持片２２，２３とを有する。
【００３２】
基体部２１は外筒１の端部に同軸に外嵌圧入された円筒部２１ａと該円筒部２１ａの横側部に連なる板状部２１ｂとからなり、板状部２１ｂの中央に貫通孔２１ｄを備えるとともに貫通孔２１ｄの周りに菊座２１ｃを備えている。
【００３３】
一対の把持片２２，２３は扁平な略直方体形状で対称形をなし、長手方向の一端側で枢軸２７によって揺動（開閉）自在に連結されている。一対の把持片２２，２３は揺動して対向したときに長手方向の他端側の同位置となる箇所に把持凹部２２ａ，２３ａを有し、把持凹部２２ａ，２３ａと枢軸２７との間に両把持片２２，２３を貫通する貫通孔２２ｂ，２３ｂを有している。貫通孔２２ｂ，２３ｂは孔の方向が揺動方向に沿い、孔の位置が一致している。一方の把持片２２の貫通孔２２ｂは丸孔に形成され、その縁部外周側に菊座２２ｃが設けられ、他方の把持片２２の貫通孔２３ｂは長手方向に長い長孔に形成されている。
【００３４】
各把持凹部２２ａ，２３ａは、外周面の中央部と枢軸２７側への延長部の端部との２箇所に設けた円筒リブ２８によって各把持片２２，２３の内壁側の円筒部に内嵌支持されている。一方の把持凹部２２ａは対応する把持片２２の貫通孔２２ｂと同一形状の丸孔を有し、他方の把持凹部２３ａは対応する把持片２３の貫通孔２３ｂと略同一形状の長孔を有する。把持凹部２２ａ，２３ａは比較的柔軟な合成樹脂材料により構成してある。
【００３５】
一方の把持凹部２２ａと他方の把持片２３との間にコイルバネ２６を配置し、ネジ軸２４が、コイルバネ２６を軸方向に通り、把持片２２，２３の各貫通孔２２ｂ，２３ｂと板状部２１ｂの貫通孔２１ｄとを挿通している。ネジ軸２４の先端に螺着してある調整ネジ２５を回すことによって一対の把持片２２，２３の間隔が変化し、把持力が調整される。貫通孔２２ｂの縁部外周側の菊座２２ｃが板状部２１ｂの貫通孔２１ｄ周りの菊座２１ｃに係合することにより、把持位置に良好に維持できる。
【００３６】
図１０は、本考案に係るバッグ支持具をベビーカーに取り付けた状態を示す斜視図である。外筒１及び内筒２を横向きにし、ベビーカーの両側の縦フレーム３０の間隔に長さを調整した後、一方の取付部１０の調整ネジ１５を緩めて把持片１２，１３の把持凹部１２ａ，１３ａ間を離間させた状態で把持凹部１２ａ，１３ａをベビーカーの一方の縦フレーム３０に外嵌し、調整ネジ１５を締め付けることにより取付部１０が一方の縦フレーム３０に取り付ける。同様に、他方の取付部２０の調整ネジ２５を緩めて把持片２２，２３の把持凹部２２ａ，２３ａ間を離間させた状態で把持凹部２２ａ，２３ａを他方の縦フレーム３０に外嵌し、調整ネジ２５を締め付けることにより取付部２０が他方の縦フレーム３０に取り付ける。最後に、バッグ３１の上部に装着されている吊り下げ紐３２を外筒１及び内筒２に引っ掛けて支持させる。尚、ベビーカーの移動中にバッグ３１が振れないように、バッグ３１の下部に装着された紐３３をベビーカーのフレームに結んでいる。
【００３７】
次に、図１１、図１２は、本考案に係るバッグ支持具の別の取り付け形態を示す斜視図である。
図１１は、バッグ３１をベビーカーの横フレーム３０Ａに支持させるために、外筒１及び内筒２の長さ方向に対する各取付部１０，２０の取付角度が図１０の場合と異なるが、その他の取付部１０，２０の操作、バッグの装着手順は図１０の場合と同様である。
図１２は、バッグ３１をベビーカーの縦フレーム３０と横フレーム３０Ａとに支持させるために、外筒１及び内筒２の両方の取付部１０，２０のうち、横フレーム３０Ａに取り付ける方の取付部１０の取付角度が図１０の場合と異なるが、その他の取付部１０，２０の操作、バッグの装着手順は図１０の場合と同様である。尚、図示はしないが、バッグ３１をベビーカーの斜めフレームに支持させることも可能である。
【００３８】
また、図１０〜図１２では、各フレーム３０，３０Ａは同一平面内に位置しているが、外筒１と内筒２とを長さ調整して固定するときの外筒１と内筒２との軸心回りの回転角度を調整することにより、各取付部１０，２０を同一平面内に位置していないフレームに取り付けることも可能である。
【００３９】
前述の実施の形態では、本考案のバッグ支持具をベビーカーのフレーム３０，３０Ａに取り付けているが、買物車等の手押し車のフレームに取り付けることも可能である。
【００４０】
前述の実施の形態では、長さ調節される２本のアームを外筒１と内筒２とによって構成したが、互いに平行に配置された２本の棒体でもよい。
【００４１】
前述の実施の形態では、内筒２の一端部に固着したテーパ部３の小径側先端に隣接してネジ軸４を固着する構成としたが、逆に内筒２の一端部にネジ軸４を固着し、該ネジ軸４の先端に小径側端部が隣接する状態でテーパ部３を固着する構成としてもよい。この場合、ストッパ６の両端部に設けてある拡縮部６ｂと摺接部６ｄとの位置も入れ替える。
【図面の簡単な説明】
【００４２】
【図１】本考案に係るバッグ支持具の正面図である。
【図２】図１に示すバッグ支持具の平面図である。
【図３】図１に示すバッグ支持具の右側面図である。
【図４】図１に示すバッグ支持具の背面図である。
【図５】図１に示すバッグ支持具の底面図である。
【図６】図１に示すバッグ支持具の要部の正面図である。
【図７】図１に示すバッグ支持具の要部の構造及び動作を示す正面一部断面図である。
【図８】図１のＶＩＩＩ−ＶＩＩＩ線における断面図である。
【図９】図１のＩＸ−ＩＸ線における断面図である。
【図１０】本考案に係るバッグ支持具をベビーカーに取り付けた状態を示す斜視図である。
【図１１】本考案に係るバッグ支持具の別の取り付け形態を示す斜視図である。
【図１２】本考案に係るバッグ支持具の別の取り付け形態を示す斜視図である。
【符号の説明】
【００４３】
１              外筒（アーム）
２              内筒（アーム）
３              テーパ部
４              ネジ軸
６              ストッパ
６ｂ            拡縮部
１０            取付部
１１            基体部
１１ｄ          貫通孔
１２，１３      把持片
１２ａ，１３ａ  把持凹部（把持部）
１２ｂ，１３ｂ  貫通孔
１４            ネジ軸
１４ａ          ナット部（抜け止め部）
１５            調整ネジ（操作部）
１５ａ          ネジ孔
２０            取付部
２１            基体部
２１ｄ          貫通孔
２２，２３      把持片
２２ａ，２３ａ  把持凹部（把持部）
２２ｂ，２３ｂ  貫通孔
２４            ネジ軸
２４ａ          ナット部（抜け止め部）
２５            調整ネジ（操作部）
２５ａ          ネジ孔
３０            縦フレーム（対象物）
３０Ａ          横フレーム（対象物）
３１            バッグ
【図１】
0003147607.tif 000003
【図２】
0003147607.tif 000004
【図３】
0003147607.tif 000005
【図４】
0003147607.tif 000006
【図５】
0003147607.tif 000007
【図６】
0003147607.tif 000008
【図７】
0003147607.tif 000009
【図８】
0003147607.tif 000010
【図９】
0003147607.tif 000011
【図１０】
0003147607.tif 000012
【図１１】
0003147607.tif 000013
【図１２】
0003147607.tif 000014